(57)【要約】【課題】液体金属を貯蔵するターゲット容器高温部を低温にする作用ばかりではなく、ターゲット容器における低温部分を温度上昇させることにより、高温となる陽子ビーム入射窓部と容器の低温部分との温度差を是正し熱応力を低減し、構造における強度健全性を確保する。【解決手段】陽子ビームをターゲット容器内に貯蔵された液体金属に照射して核破砕反応により中性子を発生させると共に、液体金属を循環流動させる中性子発生装置用液体金属ターゲットにおいて、ターゲット容器内の陽子ビームの照射部分を挟んで液体金属の流入側と流出側とに開口部が設けられ、核破砕反応により発生した熱エネルギを液体金属の流動により前記陽子ビームの入射部近傍の容器側壁低温部へ導き熱伝達し、容器低温部温度を上昇させることで、高温状態である入射窓部との温度差を低下させる液体金属の流れを調整する調整手段を設ける。【選択図】図８
2007010689.tif 000002
【特許請求の範囲】
【請求項１】
陽子ビームをターゲット容器内に貯蔵された液体金属に照射して核破砕反応により中性子を発生させると共に、前記液体金属を循環流動させる中性子発生装置用液体金属ターゲットにおいて、前記ターゲット容器内における前記液体金属の流動量が、前記陽子ビームの照射領域においてその入射側が該入射側の奥よりも多くなるように前記液体金属の流れを調整する調整手段が設けられていることを特徴とする中性子発生装置用液体金属ターゲット。
【請求項２】
陽子ビームをターゲット容器内に貯蔵された液体金属に照射して核破砕反応により中性子を発生させると共に、前記液体金属を循環流動させる中性子発生装置用液体金属ターゲットにおいて、前記ターゲット容器内における前記液体金属の供給量が、前記陽子ビームの照射領域においてその入射側に対してその奥側が多くなるようにすると共に、前記液体金属の流動方向が、前記陽子ビームの入射方向に対して対向する方向になるように前記液体金属の流れを調整する調整手段が設けられていることを特徴とする中性子発生装置用液体金属ターゲット。
【請求項３】
請求請１又は２において、前記陽子ビームの照射領域における前記液体金属の供給側と流出側とにその流動方向と同方向にその流れを誘導する各々複数個の整流板が設けられていることを特徴とする中性子発生装置用液体金属ターゲット。
【請求項４】
請求請１〜３のいずれかにおいて、前記陽子ビームの照射領域における前記液体金属の流出側に前記液体金属が前記ターゲット容器壁に沿って下流側へ流れるようにガイド板が設けられていることを特徴とする中性子発生装置用液体金属ターゲット。
【請求項５】
請求請１〜４のいずれかにおいて、前記陽子ビームの照射領域における前記液体金属の流出側の前記ターゲット容器内にフィンが設けられていることを特徴とする中性子発生装置用液体金属ターゲット。
【請求項６】
請求請１〜５のいずれかにおいて、前記陽子ビームの照射領域における前記液体金属の流出側の前記ターゲット容器内に突起物が設けられていることを特徴とする中性子発生装置用液体金属ターゲット。
【請求項７】
請求請１〜６のいずれかにおいて、前記ターゲット容器内の前記陽子ビームの照射領域における前記液体金属の流出側と前記陽子ビーム照射面側とに前記液体金属に対してぬれ性を有する金属皮膜が形成されていることを特徴とする中性子発生装置用液体金属ターゲット。
【請求項８】
請求請１〜７のいずれかにおいて、前記陽子ビームの照射領域における前記液体金属の流出側の前記ターゲット容器外面に前記ターゲット容器を加熱する加熱装置を有することを特徴とする中性子発生装置用液体金属ターゲット。
【発明の詳細な説明】
【技術分野】
【０００１】
本発明は、陽子ビームを液体金属に照射して核破砕反応により中性子を発生させると共に、液体金属を熱媒体として流動させる新規な中性子発生装置用液体金属ターゲットに関する。
【背景技術】
【０００２】
中性子発生装置では、大強度の陽子ビームを液体金属に照射して核破砕反応により中性子を発生させるものである。ここで得られる中性子は、生命科学、物質・材料科学、原子核・素粒子物理など様々な最先端研究に利用される。
【０００３】
従来、中性子発生装置に用いられるターゲット材料には、ウラン、タンタル、タングステンなどの固体金属が用いられていた。MW級のパルス状陽子ビームが入射した場合には、核破砕反応及びターゲット容器への周期的な陽子ビーム入射により大規模な発熱が生じ、極めて高い温度上昇をもたらす。そのため、ターゲット容器及びターゲット材料の熱伝導作用のみでは、十分に熱エネルギを除去できなくなり、熱負荷のために、ターゲット容器強度の健全性が保持できない恐れがある。
【０００４】
これに対して、ターゲット材料に水銀などの液体金属を適用した中性子発生装置用液体金属ターゲットでは、前述の大規模な発熱をターゲット容器及びターゲット材料の熱伝導・熱伝達作用に加えて液体金属の流動により除去するため、熱負荷に対する構造強度の健全性が確保される見通しが得られてきた。
【０００５】
液体金属ターゲットに関して、液体金属の流動をシンプルかつ局所的な温度上昇が発生しないようにするために、特許文献１、特許文献２や特許文献３などが提案されている。これらの方法では、核破砕反応及びターゲット容器への陽子ビーム入射による大規模な発生熱を、液体金属の流動により効率よく除去し、熱負荷の低減を得ることを目的としている。特に、特許文献３には液体金属の流動を陽子ビームの照射領域において均一になるように案内羽根を設けることが示されている。
【０００６】
【特許文献１】特開平１１−２７３８９６号公報
【特許文献２】特開２０００−８２５９８号公報
【特許文献３】特開２０００−２４３５９７号公報
【発明の開示】
【発明が解決しようとする課題】
【０００７】
熱負荷から構造強度の健全性を確保するために、従来提案されている中性子発生装置用液体金属ターゲットでは、核破砕反応により高温となる液体金属及び陽子ビーム入射により高温となるターゲット容器高温部を、液体金属流動の除熱作用により低温にし、熱負荷により発生する応力を緩和している。上述した特許文献１、２、３では、液体金属流動の停留や再循環流を回避するように流動制御を行い、ターゲット容器及び液体金属の過剰な温度上昇が発生しないようにしている。又、特許文献３には液体金属の特定の流動については開示されていない。
【０００８】
ターゲット容器でも特に温度上昇が大きい部分は、陽子ビームが入射される陽子ビーム入射窓部である。陽子ビームエネルギが大きくなると、液体金属流動による除熱作用のみでは十分冷却できず、陽子ビーム入射窓部近傍で大きな熱応力を発生することが予想されており、ターゲット容器の健全性が維持できなくなる。ここで、熱応力の発生は、部材の高温部分と低温部分で熱膨張変形量が異なることに起因した変形ひずみによるものである。
【０００９】
本発明の目的は、液体金属を貯蔵するターゲット容器高温部を低温にする作用ばかりではなく、ターゲット容器における低温部分を温度上昇させることにより、高温となる陽子ビーム入射窓部と容器の低温部分との温度差を是正し熱応力を低減すると共に、構造における強度健全性を熱負荷に対して確保することのできる中性子発生装置用液体金属ターゲットを提供することにある。
【課題を解決するための手段】
【００１０】
本発明は、核破砕反応で得られた大規模な熱エネルギ、及び陽子ビーム入射により高温状態になった陽子ビーム入射窓部の熱エネルギを液体金属の流動によりターゲット容器低温部へ導き、ターゲット容器低温部を温度上昇させ、陽子ビーム入射窓部とターゲット容器低温部の温度差を低下することにより、熱応力を低減するものである。
【００１１】
本発明は、陽子ビームをターゲット容器内に貯蔵された液体金属に照射して核破砕反応により中性子を発生させると共に、前記液体金属を循環流動させる中性子発生装置用液体金属ターゲットにおいて、前記ターゲット容器内における前記液体金属の流動量が、前記陽子ビームの照射領域においてその入射側が該入射側の奥よりも多くなるように前記液体金属の流れを調整する調整手段が設けられていることを特徴とする。
【００１２】
又、本発明は、陽子ビームをターゲット容器内に貯蔵された液体金属に照射して核破砕反応により中性子を発生させると共に、前記液体金属を循環流動させる中性子発生装置用液体金属ターゲットにおいて、前記ターゲット容器内における前記液体金属の供給量が、前記陽子ビームの照射領域においてその入射側に対してその奥側が多くなるようにすると共に、前記液体金属の流動方向が、前記陽子ビームの入射方向に対して対向する方向になるように前記液体金属の流れを調整する調整手段が設けられていることを特徴とする。
【００１３】
本発明においては、陽子ビームを液体金属に照射して核破砕反応により中性子を発生させると共に、液体金属を熱媒体として流動させる中性子発生装置用液体金属ターゲットにおいて、液体金属を包括するターゲット容器内に、液体金属の循環流動を助長する開口部を有する流配板を設け、陽子ビームの照射領域かつ流配板に挟まれた領域を流れる液体金属の主流方向を、陽子ビーム入射方向に対向するようにするものであり、特にそのなす角度が９０度より大きく１８０度より小さくなるように、流配板に開口部を設けると共に、その面積分布を調整することができる。
【００１４】
又、本発明の中性子発生装置用液体金属ターゲットは、液体金属を包括するターゲット容器内に、液体金属の循環流動を助長する整流板を複数設けるが、陽子ビームの照射領域より液体金属流入流路側に位置する整流板と陽子ビームの入射方向がなす角度が、陽子ビームの照射領域より液体金属流出流路側に位置する整流板と陽子ビームの入射方向がなす角度と異なるように設定させ、前記整流板をターゲット容器に設置した事を特徴としている。
【００１５】
更に、本発明では、中性子発生装置用液体金属ターゲットにおいて、液体金属を包括するターゲット容器での、陽子ビームの入射部近傍を流れた液体金属をターゲット容器壁に導き、ターゲット容器壁に沿って下流側へ流動させるガイド板を設けた事、又、液体金属を包括するターゲット容器での、陽子ビームの入射部近傍を流れた液体金属の下流側ターゲット容器内部にフィンを設けた事、又、液体金属を包括するターゲット容器での、陽子ビームの入射部近傍を流れた液体金属の下流側ターゲット容器内部に突起物を設けた事、又、液体金属を包括するターゲット容器での液体金属との接触面に、液体金属に対してぬれ性のよい金属を塗膜する事、又、容器低温部を機械的に加熱することによっても、陽子ビーム入射窓と低温部分の温度差を低下でき、熱応力を低減することから液体金属を包括するターゲット容器を機械的に加熱する装置を備える事を特徴としている。
【発明の効果】
【００１６】
以上、従来の中性子発生装置用液体金属ターゲットでは、核破砕反応及び陽子ビーム照射によりターゲット容器に熱負荷が生じる。しかし、本発明の如く、液体金属の特定の循環流動による高温状態になる陽子ビーム入射窓、あるいは核破砕反応により熱エネルギを得た高温液体金属からターゲット容器低温部への熱伝達、あるいは機械等による人工的な加熱作用とによって、低温部の温度上昇より陽子ビーム入射部近傍との温度差は低下し、熱応力を低減させることができるため、熱負荷に対して構造的に強度健全性を有した中性子発生装置用液体金属ターゲットを実現できる。
【発明を実施するための最良の形態】
【００１７】
以下、本発明を実施するための最良の形態を具体的な実施例によって詳細に説明する。
【実施例１】
【００１８】
図１は、本発明の対象となる中性子発生装置用液体金属ターゲットを有する中性子散乱施設を備えた中性子発生装置の構成図である。陽子射出器１１１から射出された陽子線は、陽子加速器１１２・シンクロトロン１１３により電流・周波数などが調整されエネルギを高めた後、中性子発生装置用液体金属ターゲット１１０が備えられる中性子散乱施設１１４へ入射する。中性子散乱施設１１４で発生した中性子は実施施設１１５に搬送され、生命科学、物質・材料科学、原子核・素粒子物理など様々な最先端研究に利用される。
【００１９】
図２は、中性子散乱施設１１４で中性子を発生させる中性子発生装置用液体金属ターゲット１１０と液体金属の循環経路とを有する概要図を示し、図３は図２のＡ−Ａ'断面図である。タンク２３に蓄えられている液体金属ｍは、ターゲット容器１の入口側フランジ２１ａ及び出口側フランジ２１ｂに連結している配管２２を介して、ポンプ２４の働きによりターゲット容器１へ流入及び流出が行われる。ターゲット容器１内部は液体金属ｍが循環しており、液体金属ｍに陽子ビームｐが入射すると核破砕反応ｒが発生し、中性子ｎが発生する。中性子ｎはターゲット容器１の外部に設置された減速材容器２５で収集される。
【００２０】
図４は、本実施例の中性子発生装置用液体金属ターゲットの水平断面図である。ターゲット容器１は薄肉状の固体金属で形成されるが、特に、陽子ビームｐが入射する陽子ビーム入射窓部は、陽子ビームの照射加熱による発熱抑止及び容器による陽子エネルギの損失防止の観点から、極力薄肉化をする。液体金属ｍへ陽子ビームｐが照射されると核破砕反応が起こり、中性子が発生する。ターゲット容器１には入口側フランジ２１ａに接続された配管２２ａより液体金属ｍが流入し、ターゲット容器１内部に形成される流路に従った液体金属入口側流れｍａによって、液体金属ｍはターゲット容器１を流動した後、ターゲット容器１内部に形成される流路に従った液体金属出口側流れｍｂにより、出口側フランジ２１ｂに接続された配管２２ｂへ流出する。以上が中性子発生装置用液体金属ターゲットの基本機構である。
【００２１】
本実施例では、ターゲット容器１の内部には、液体金属入口側流路に入口側流配板２ａを、また液体金属出口側流路に出口側流配板２ｂを配し、入口側流配板２ａ及び出口側流配板２ｂには開口部３を設け、液体金属ｍの循環を促進している。
【００２２】
図５は、図４のターゲット容器１におけるＢ−Ｂ'断面図である。ターゲット容器１は側壁を半円筒型とした偏平構造をしている。ターゲット容器１の上下面板は薄肉状にしているが、ターゲット容器１外部に設置する減速材容器で核破砕反応により発生した中性子を効率よく収集するためである。また、ターゲット容器１の上下面と、入口側流配板２ａ及び出口側流配板２ｂはほぼ直角に設置するが、容器上下面板は薄肉平板であることから特に変形しやすいため、入口側流配板２ａ及び出口側流配板２ｂは補強効果も兼ね備えている。
【００２３】
図６は図４における入口側流配板２ａのＣ−Ｃ'断面図及び、図７は図４における入口側流配板２ｂのＤ−Ｄ'断面図である。陽子ビームｐの入射方向上手側に、ターゲット容器１と流配板の間に液体金属流路を設けてあるが、これは陽子ビーム入射窓部近傍へ液体金属を流動し除熱するためである。特に本実施例を達成する１方法として、例えば、入口側流配板２ａの開口部３の面積比率は陽子ビームｐの入射方向下手側を徐々に大きくし、出口側流配板２ｂの開口部３の面積比率は陽子ビームｐの入射方向上手側を徐々に大きくなるように設定する。液体金属ｍは紙面垂直方向に開口部３を通過するが、上記方法より入口側流配板２ａと出口側流配板２ｂとで挟ませた範囲における液体金属流動の主流流れｍｃの方向を陽子ビームｐの入射方向に対して対向するようにし、具体的にはそのなす角度ｓｃが９０度より大きく１８０度より小さくすることである。
【００２４】
又、本実施例においては、ターゲット容器１内における液体金属の流動量が、陽子ビームＰの照射領域においてその入射側が該入射側の奥よりも多くなるように液体金属の流れを調整する出口側流配板２ｂが設けられている。
【００２５】
更に、本実施例においては、陽子ビームＰの照射領域におけるターゲット容器１内における液体金属の供給量が、陽子ビームＰの照射領域においてその入射側に対してその奥側が多くなるようにすると共に、液体金属の流動方向が、陽子ビームＰの入射方向に対して対向する方向になるように液体金属の流れを調整する入口側流配板２ａが設けられている。
【００２６】
これにより、核破砕反応により発生した大規模な熱エネルギを液体金属流動により陽子ビーム入射部近傍の容器側壁低温部へ導き熱伝達することができ、容器低温部温度を上昇させることで、高温状態である陽子ビーム入射窓部との温度差は低下する。すなわち、熱応力を低減でき、ターゲットの構造強度健全性を確保できる。
【実施例２】
【００２７】
図８は、本発明による中性子発生装置用液体金属ターゲットの実施例を示す断面図である。本実施例では実施例１にて示した中性子発生装置用液体金属ターゲットの基本機構を備えており、液体金属ｍが流動している。
【００２８】
特に本実施例では、ターゲット容器１の内部には、液体金属ｍの循環を促進するために、薄板構造をした整流板４を複数設置しているが、陽子ビームの照射領域より液体金属流入流路側に位置する整流板４ｄと陽子ビームｐの入射方向がなす角度ｓｄが、陽子ビームの照射領域より液体金属流出流路側に位置する整流板４ｅと陽子ビームｐの入射方向がなす角度ｓｅと異なるように設定させる。
【００２９】
これにより、核破砕反応により発生した大規模な熱エネルギを液体金属流動により陽子ビーム入射部近傍の容器側壁低温部へ導き熱伝達することができ、容器低温部温度を上昇させることで、高温状態である陽子ビーム入射窓部との温度差は低下する。すなわち、熱応力を低減でき、第１の実施例と同等の効果を得られるため、ターゲットの構造強度健全性を確保できる。
【実施例３】
【００３０】
図９は、本発明による中性子発生装置用液体金属ターゲットの他の実施例を示す断面図である。本実施例においても実施例１にて示した中性子発生装置用液体金属ターゲットの基本機構を備えており、液体金属ｍが流動している。
【００３１】
特に本実施例では、ターゲット容器１の内部にはガイド板５を設置するが、このガイド板は薄板構造とし、陽子ビーム入射窓部から熱エネルギを得た高温液体金属、あるいは核破砕反応により熱エネルギを得た高温液体金属が流れる流路に配する。ガイド板５の上流側は高温になった液体金属流入口として開口し、ガイド板５の後流側は液体金属ｍがターゲット容器１の側壁面とほぼ同形態とし、ターゲット容器壁面に沿った液体金属流路を形成させる。
【００３２】
ガイド板５を設置することにより、高温液体金属よりターゲット容器側壁低温部へ導き熱伝達することができる。また、ガイド板５は高温液体金属と低温液体金属の流路を分離でき、液体金属内での熱拡散を避けることで、高温液体金属が低温であるターゲット容器側壁面を効率よく流動可能になる。
【００３３】
これにより、高温液体金属よりターゲット容器側壁低温部へ効率よく熱伝達し、容器低温部の温度上昇より高温状態である陽子ビーム入射部近傍との温度差は下する。すなわち、熱応力を低減でき、第１の実施例と同等の効果を得られるため、ターゲットの構造強度健全性を確保できる。
【実施例４】
【００３４】
図１０に本発明による中性子発生装置用液体金属ターゲットの他の実施例を示す断面図である。本実施例においても実施例１にて示したような、中性子発生装置用液体金属ターゲットの基本機構を備えており、液体金属ｍが流動している。
【００３５】
特に本実施例では、ターゲット容器１の内部には、陽子ビーム入射窓部から熱エネルギを得た高温液体金属、あるいは核破砕反応により熱エネルギを得た高温液体金属が流れる流路に、複数のフィン６を設置する。例えば、図１０では、ターゲット容器長の１／３長さのフィンを容器低温部壁面部に３枚設置する。図１１には図１０におけるＥ−Ｅ'断面図を示すが、フィン６は鉛直水平方向に配している。ここで、フィンは板状構造物で変形しやすいため、中性子発生装置用液体金属ターゲットの基本特性を損ねない程度に、フィンの大きさは設定する。なお、フィン６の表面に伝熱効果が向上するような加工を施すことも本発明の範疇である。
【００３６】
フィン６を設置することにより高温液体金属との接触面積を拡げることができるため、フィン６を介して高温液体金属よりターゲット容器低温部への熱伝達を強化できる。これより、低温部の温度上昇により高温状態になる陽子ビーム入射部との温度差は低下し、熱応力を低減でき、第１の実施例と同等の効果を得ることが出来るため、ターゲットの構造強度健全性を確保できる。
【実施例５】
【００３７】
図１２に本発明による中性子発生装置用液体金属ターゲットの他の実施例を示す断面図である。本実施例においても実施例１にて示したような、中性子発生装置用液体金属ターゲットの基本機構を備えており、液体金属ｍが流動している。
【００３８】
特に本実施例では、ターゲット容器１の内部には、高温状態になった陽子ビーム入射窓部から熱エネルギを得た高温液体金属、あるいは核破砕反応により熱エネルギを得た高温液体金属が流れる流路のターゲット容器側壁に、複数の突起物７を設置する。例えば、図８では、ターゲット容器長の１／３長さ区間の容器壁面部にわたって、突起物７を配している。ここで、突起物の大きさ及び個数は、中性子発生装置用液体金属ターゲットの基本特性を損ねない程度に設定する。
【００３９】
複数の突起物７を設置することは、ターゲット容器１と高温液体金属との接触面積を大きくするとともに、液体金属の流れを乱流状態にする効果から熱伝達はさらに強化され、高温液体金属からターゲット容器低温部への熱伝達は強化できる。これより、低温部の温度上昇により高温状態になる陽子ビーム入射部との温度差は低下し、熱応力を低減でき、実施例１と同等の効果を得ることができるため、ターゲットの構造強度健全性を確保できる。
【実施例６】
【００４０】
図１３は、本発明による中性子発生装置用液体金属ターゲットの他実施例を示す断面図である。本実施例においても実施例１にて示したような、中性子発生装置用液体金属ターゲットの基本機構を備えており、液体金属ｍが流動している。
【００４１】
特に本実施例では、ターゲット容器１の内部には、高温状態になった陽子ビーム入射窓から熱エネルギを得た高温液体金属、あるいは核破砕反応により熱エネルギを得た高温液体金属が流れる流路に、液体金属に対してぬれ性のよい金属の薄膜８を塗膜する。例えば、図１３では、陽子ビーム入射窓からターゲット容器長の１／３長さ区間の容器壁面部にわたって、液体金属に対してぬれ性のよい金属の薄膜８を塗膜している。例えば、液体金属に水銀を選択した場合は、ぬれ性のよい金属としてニッケル及びニッケル合金などがある。
【００４２】
ここで、ぬれ性のよい金属薄膜８を塗膜することは、高温となる陽子ビーム入射窓部から液体金属への熱伝達、及び液体金属からターゲット容器低温部への熱伝達を強化できる。これより、高温部の温度低下及び低温部の温度上昇より陽子ビーム入射部と容器低温部との温度差は低下し、熱応力を低減でき、第１の実施例と同等の効果を得ることが出来るため、ターゲットの構造強度健全性を確保できる。
【実施例７】
【００４３】
図１４は、本発明による中性子発生装置用液体金属ターゲットの他の実施例を示す断面図である。本実施例においても実施例１にて示したような中性子発生装置用液体金属ターゲットの基本機構を備えており、液体金属ｍが流動している。
【００４４】
特に本実施例では、ターゲット容器１の外壁部には加熱器９を設置する。例えば、図１４では、ターゲット容器長の１／３長さ区間の容器外壁部にわたって、加熱器９を設置しており、電源１０から導線１１を介して電力は供給され、中性子発生装置用液体金属ターゲットの運転状態に応じて加熱器９は作動させる。
【００４５】
ここでターゲット容器低温部に加熱器を設置することは、核破砕反応及び陽子ビーム入射による大規模な発熱を利用せずとも、人工的に加熱することにより、低温部の温度上昇より陽子ビーム入射部近傍との温度差を低下させ、熱応力を低減でき、第１の実施例と同等の効果を得ることが出来るため、ターゲットの構造強度健全性を確保できる。
【図面の簡単な説明】
【００４６】
【図１】本発明の中性子発生装置用液体金属ターゲットが設置される中性子散乱施設を有する中性子発生装置の構成図。
【図２】本発明に係る中性子発生装置用液体金属ターゲットと液体金属の循環装置とを有する構成図。
【図３】図２におけるＡ−Ａ'断面図。
【図４】本発明の中性子発生装置用液体金属ターゲットの実施例１における水平断面図。
【図５】図４におけるＢ−Ｂ'断面図。
【図６】図４における入口側流配板２ａのＣ−Ｃ'断面図。
【図７】図４における出口側流配板２ｂのＤ−Ｄ'断面図。
【図８】本発明による中性子発生装置用液体金属ターゲットの実施例２における水平断面図。
【図９】本発明による中性子発生装置用液体金属ターゲットの実施例３における水平断面図。
【図１０】本発明による中性子発生装置用液体金属ターゲットの実施例４における水平断面図。
【図１１】図６におけるＥ−Ｅ'断面図。
【図１２】本発明による中性子発生装置用液体金属ターゲットの実施例５における水平断面図。
【図１３】本発明による中性子発生装置用液体金属ターゲットの実施例６における水平断面図。
【図１４】本発明による中性子発生装置用液体金属ターゲットの実施例７における水平断面図。
【符号の説明】
【００４７】
１…ターゲット容器、２ａ…入口側流配板、２ｂ…出口側流配板、３…開口部、４…整流板、４ｄ…流入流路側に位置する整流板、４ｅ…流出流路側に位置する整流板、５…ガイド板、６…フィン、７…突起物、８…金属薄膜、９…加熱器、１０…電源、１１…導線、２１ａ及び２１ｂ…フランジ、２２及び２２ａ及び２２ｂ…配管、２３…タンク、２４…ポンプ、２５…減速材容器、１１０…中性子発生装置用液体金属ターゲット、１１１…陽子射出器、１１２…陽子加速器、１１３…シンクロトロン、１１４…中性子散乱施設、１１５…実施施設、ｍ…液体金属、ｐ…陽子ビーム、ｎ…中性子、ｒ…核破砕反応、ｍａ…液体金属ｍの入口側流れ、ｍｂ…液体金属ｍの出口側流れ、ｍｃ…入口側流配板２ａと出口側流配板２ｂとで挟ませた範囲における液体金属流動の主流流れ、ｓｃ…液体金属流動の主流流れｍｃの方向と陽子ビームｐの入射方向とがなす角度、ｓｄ…液体金属流入流路側に位置する整流板４ｄと陽子ビームｐの入射方向とがなす角度、ｓｅ…液体金属流出流路側に位置する整流板４ｅと陽子ビームｐの入射方向とがなす角度。
【図１】
2007010689.tif 000003
【図２】
2007010689.tif 000004
【図３】
2007010689.tif 000005
【図４】
2007010689.tif 000006
【図５】
2007010689.tif 000007
【図６】
2007010689.tif 000008
【図７】
2007010689.tif 000009
【図８】
2007010689.tif 000010
【図９】
2007010689.tif 000011
【図１０】
2007010689.tif 000012
【図１１】
2007010689.tif 000013
【図１２】
2007010689.tif 000014
【図１３】
2007010689.tif 000015
【図１４】
2007010689.tif 000016